(57)【特許請求の範囲】
【請求項１】
バッテリーの上面に突設されてなる円柱状のバッテリーポストに巻着される環状の環状部と、該環状部の径外方向に突出するように該環状部に連接され、電線の接続端子に接続される電線接続部とを有してなるバッテリーターミナルと、前記接続端子とを覆うバッテリーカバーであって、
当該バッテリーカバーの天井を形成する天井壁の下面から下方に延び、かつ下端面が前記バッテリーの上面に接するように形成されてなる支持部と、
前記支持部の内側で前記天井壁の下面に設けられ、下端面が前記バッテリーの上面に接し、前記環状部の側部に当接するガタツキ防止壁部と、
を有してなることを特徴とするバッテリーカバー。
【請求項２】
前記ガタツキ防止壁部は、
前記電線接続部が前記環状部から突出される位置の近傍に前記電線接続部を間にするように配置された一対の壁からなる回動規制壁部
を有してなることを特徴とする請求項１に記載のバッテリーカバー。
【請求項３】
当該バッテリーカバーは、
前記バッテリーターミナルを間にして向かい合う壁の各壁の内面から前記バッテリーターミナルの下部に引っ掛かるように突起された一対の浮き止め係止部をさらに有してなることを特徴とする請求項１または２に記載のバッテリーカバー。
【発明の詳細な説明】
【技術分野】
【０００１】
本発明は、バッテリーターミナルを覆うバッテリーカバーに関する。
【背景技術】
【０００２】
従来、バッテリーに取り付けられるバッテリーターミナルは、円柱状のバッテリーポストに巻着される環状部を有している。また、このようなバッテリーターミナルを覆うバッテリーカバーがある。例えば、特許文献１には、バッテリーターミナルに弾性接触され、バッテリーターミナルを覆うバッテリーカバーが提案されている。
【０００３】
特許文献１に記載されたバッテリーカバーは、カバー内部には、電線接続部又は接続端子に嵌合する係止用の嵌合係止部を有する。また、カバー内部には、弾性を有しカバー取り外し方向の移動に対して環状部に引っ掛かる浮き止め係止部を一体に成形する。さらに、カバー内部には、環状部に対して弾性接触する弾性保持リブを一体に成形する。
【先行技術文献】
【特許文献】
【０００４】
【特許文献１】特開２００６−４０７９７号公報
【発明の概要】
【発明が解決しようとする課題】
【０００５】
しかしながら、特許文献１のバッテリーカバーでは、バッテリーカバーに外力が負荷された場合、バッテリーターミナルにただちに外力が負荷されるようになっているので、バッテリーターミナルが外力によって動かされ易い状態にあり、結果的に接続安定性が低下してしまうという問題があった。
【０００６】
本発明は、上記に鑑みてなされたものであって、バッテリーターミナルの接続安定性を向上させることができるバッテリーカバーを提供することを目的とする。
【課題を解決するための手段】
【０００７】
上述した課題を解決し、目的を達成するために、本発明の請求項１にかかるバッテリーカバーは、バッテリーの上面に突設されてなる円柱状のバッテリーポストに巻着される環状の環状部と、該環状部の径外方向に突出するように該環状部に連接され、電線の接続端子に接続される電線接続部とを有してなるバッテリーターミナルと、前記接続端子とを覆うバッテリーカバーであって、当該バッテリーカバーの天井を形成する天井壁の下面から下方に延び、かつ下端面が前記バッテリーの上面に接するように形成されてなる支持部と、前記支持部の内側で前記天井壁の下面に設けられ、下端面が前記バッテリーの上面に接し、前記環状部の側部に当接するガタツキ防止壁部と、を有してなることを特徴とする。
【０００８】
また、本発明の請求項２にかかるバッテリーカバーは、上記の発明において、前記ガタツキ防止壁部は、前記電線接続部が前記環状部から突出される位置の近傍に前記電線接続部を間にするように配置された一対の壁からなる回動規制壁部
を有してなることを特徴とする。
【０００９】
また、本発明の請求項３にかかるバッテリーカバーは、上記の発明において、当該バッテリーカバーは、前記バッテリーターミナルを間にして向かい合う壁の各壁の内面から前記バッテリーターミナルの下部に引っ掛かるように突起された一対の浮き止め係止部をさらに有してなることを特徴とする。
【発明の効果】
【００１０】
本発明の請求項１にかかるバッテリーカバーは、当該バッテリーカバーの天井を形成する天井壁の下面から下方に延び、かつ下端面が前記バッテリーの上面に接するように形成されてなる支持部と、前記環状部の側部に沿うように形成された壁からなるガタツキ防止壁部を有してなるので、バッテリーカバーのガタツキを防止するとともに、支持部によって前記バッテリーの上面で支持されることによって、正常な取り付け位置において前記バッテリーターミナルに接触されないようになっているので、前記バッテリーカバーに外力が負荷されたとしても、ただちに前記バッテリーターミナルに外力が負荷されず、結果的に、バッテリーターミナルの接続安定性を向上させることができる。
【００１１】
本発明の請求項２にかかるバッテリーカバーは、前記電線接続部が前記環状部から突出される位置の近傍に前記電線接続部を間にするように配置された一対の壁からなる回動規制壁部を有してなるので、バッテリーカバーが回動されることによって発生するガタツキについても防止することができる。
【００１２】
本発明の請求項３にかかるバッテリーカバーは、前記バッテリーターミナルを間にして向かい合う壁の各壁の内面から前記バッテリーターミナルの下部に引っ掛かるように突起された一対の浮き止め係止部をさらに有してなるので、バッテリーカバーが浮き上がることによるバッテリーカバーのガタツキを防止することができる。
【図面の簡単な説明】
【００１３】
【図１】図１は、本発明の実施の形態にかかるバッテリーカバーを有してなるバッテリー接続ユニットの分解斜視図である。
【図２】図２は、図１に示したバッテリー接続ユニットの上面図である。
【図３】図３は、図２に示したバッテリー接続ユニットのＡ―Ａ線断面図である。
【図４】図４は、図１に示したバッテリー接続ユニットの側面図である。
【図５】図５は、図４に示したバッテリー接続ユニットのＢ−Ｂ線断面図である。
【図６】図６は、図１に示したバッテリーカバーを斜め下方から視た図である。
【図７】図７は、図１に示したバッテリーカバーを下方から視た図である。
【図８】図８は、バッテリーカバーのガタツキが防止されることについて説明するための図である。
【図９】図９は、本発明の実施の形態の変形例１のバッテリーカバーを下方から視た図である。
【図１０】図１０は、本発明の実施の形態の変形例２のバッテリーカバーを下方から視た図である。
【図１１】図１１は、本発明の実施の形態の変形例３のバッテリーカバーを下方から視た図である。
【発明を実施するための形態】
【００１４】
以下、図面を参照して、この発明にかかるバッテリーカバーの好適な実施の形態を詳細に説明する。
【００１５】
（実施の形態）
図１は、本発明の実施の形態にかかるバッテリーカバー１を有してなるバッテリー接続ユニット１００の分解斜視図である。図２は、図１に示したバッテリー接続ユニット１００の上面図である。図３は、図２に示したバッテリー接続ユニット１００のＡ―Ａ線断面図である。図４は、図１に示したバッテリー接続ユニット１００の側面図である。図５は、図４に示したバッテリー接続ユニット１００のＢ−Ｂ線断面図である。図６は、図１に示したバッテリーカバー１を斜め下方から視た図である。図７は、図１に示したバッテリーカバー１を下方から視た図である。
本発明の実施の形態にかかるバッテリーカバー１は、バッテリー７０のバッテリーポスト７１と、電線Ｗの接続端子Ｃとに接続されるバッテリーターミナル８０と、接続端子Ｃとを覆うようになっている。
【００１６】
まず、公知のバッテリー７０およびバッテリーターミナル８０について説明する。
バッテリー７０は、上面７０ａに突設されてなる円柱状のバッテリーポスト７１を有してなる。
【００１７】
バッテリーターミナル８０は、バッテリーポスト７１に巻着される環状の環状部８１と、環状部８１の径外方向に突出するように環状部８１に連接され、電線Ｗの接続端子Ｃに接続される電線接続部８２とを有してなる。
環状部８１は、バッテリーポスト７１が挿通される挿通孔部８１ｂが形成されてなる。この挿通孔部８１ｂは、ボルトＢ１およびナットＮ１による締結がなされて孔径が縮むようになっている。このため、ボルトＢ１およびナットＮ１によって締結され、挿通孔部８１ｂの孔径が縮むことによって、バッテリーターミナル８０がバッテリーポスト７１に固定されるようになっている。
電線接続部８２は、ボルトＢ２が植設されてなる。この電線接続部８２は、電線Ｗの接続端子Ｃに形成された挿通孔Ｃ１にボルトＢ２が挿通され、ボルトＢ２およびナットＮ２によって締結されることによって電線Ｗが固定されるようになっている。
【００１８】
次に、バッテリーカバー１について説明する。
バッテリーカバー１は、例えば絶縁性の合成樹脂材からなり、カバー本体部１０、カバー本体部１０から引き出された電線Ｗに取り付けられる電線取り付け部１３と、電線取り付け部１３とカバー本体部１０とを連結し、かつ可撓性を有してなる可撓連結部１４とを有してなる。
【００１９】
カバー本体部１０は、天井を形成する天井壁２０と、天井壁２０の縁に沿って下方に向けて立設されてなる周側壁２１とを有し、下端２１ａに開口部１０ａが形成されてなるほぼ箱型形状をなす。
このカバー本体部１０は、ターミナル収容部１１および電線引き出し部１２を有してなる。
【００２０】
ターミナル収容部１１は、バッテリーターミナル８０を収容するための収容部である。このターミナル収容部１１は、図３に示すように、一対の浮き止め係止部２３を有してなる。この一対の浮き止め係止部２３は、周側壁２１のうちバッテリーターミナル８０を間にして向かい合う壁２１の各壁２１の内面２１ｃからバッテリーターミナル８０の下部８０ａに引っ掛かるように突起された部分である。
このような一対の浮き止め係止部２３は、外力が負荷されることによってバッテリーカバー１が上方に浮くような力が作用した場合、バッテリーカバー１が浮き上がらないようにバッテリーターミナル８０の下部８０ａに引っ掛かるようになっている。すなわち、一対の浮き止め係止部２３は、バッテリーカバー１が浮き上がることによるバッテリーカバー１のガタツキを防止する機能を有している。
【００２１】
電線引き出し部１２は、電線Ｗの接続端子Ｃ周辺を収容する収容部であり、電線Ｗの引き出し方向に沿ってターミナル収容部１１から突出して設けられてなる。この電線引き出し部１２は、周側壁２１に形成された開口である電線引き出し口２１ｅを有してなる。この電線引き出し口２１ｅを介して電線Ｗがバッテリーカバー１から引き出されるようになっている。
【００２２】
また、カバー本体部１０は、周側壁２１の下端面２１ｂがバッテリー７０の上面７０ａに接するようになっている。すなわち、周側壁２１は、天井壁２０の下面２０ａから下方に延び、かつ下端面２１ｂがバッテリー７０の上面７０ａに接するように形成されてなる。このような周側壁２１は支持部として、バッテリーカバー１をバッテリー７０の上面７０ａで支持するようになっている。
さらに、カバー本体部１０は、接触面積拡大リブ２２を有してなる。
【００２３】
接触面積拡大リブ２２は、周側壁２１の下端面２１ｂが水平方向に延在されるように、すなわちバッテリー７０の上面７０ａと周側壁２１の下端面２１ｂの接触面積が拡大されるように周側壁２１の下端２１ａの外面２１ｄからから突出して設けされた壁である。この接触面積拡大リブ２２は、周側壁２１に繋がって下端面２１ｂと、バッテリー７０の上面７０ａとの接触面積を拡大するように形成されてなるので、バッテリーカバー１がバッテリー７０の上面７０ａに安定して載置されるようになっている。
【００２４】
また、カバー本体部１０は、環状部８１の側部８１ａに沿うように形成された壁からなり、バッテリーカバーのガタツキを防止するガタツキ防止壁部３０を有してなる。
このガタツキ防止壁部３０は、天井壁２０の下面２０ａから周側壁２１の下端２１ａ位置まで下方に延びてなる第一のガタツキ防止壁部４０と、環状部８１の上側部８１ｃに沿うように形成されてなる第二のガタツキ防止壁部５０と、バッテリーカバー１の回転方向のガタツキを規制する回動規制壁部６０とを有してなる。
【００２５】
第一のガタツキ防止壁部４０は、図５−図７に示すように、複数の板状壁部４１と、隣り合う複数の板状壁部４１によって構成される板状壁部群４２を連接するように設けられてなるガイド壁部４３とを有してなる。
各板状壁部４１は、周側壁２１の内面２１ｃに対して略直交するように立設され、かつ天井壁２０の下面２０ａから周側壁２１の下端２１ａ位置まで下方に延びてなる板状の壁である。すなわち、各板状壁部４１は、下端面４１ａがバッテリー７０の上面７０ａに接するようになっている。
このような板状壁部４１は、バッテリーターミナル８０を間にして向かい合う周側壁２１の各周側壁２１の内面２１ｃに複数設けられることによって第一の対向壁部群４２ａおよび第二の対向壁部群４２ｂを構成するようになっている。
【００２６】
ガイド壁部４３は、第一の対向壁部群４２ａの各板状壁部４１の側端部４１ｂを連接するように設けられてなる第一のガイド壁部４３ａと、第二の対向壁部群４２ｂの各板状壁部４１の側端部４１ｂを連接するように設けられてなる第二のガイド壁部４３ｂとを有してなる。これら第一のガイド壁部４３ａおよび第二のガイド壁部４３ｂは、環状部８１の側部８１ａに沿って設けられてなる板状の壁である。
また、ガイド壁部４３は、天井壁２０の下面２０ａから周側壁２１の下端２１ａ位置まで下方に延びてなる板状の壁である。このようなガイド壁部４３は、下端面２１ｂがバッテリー７０の上面７０ａに接するようになっている。
【００２７】
このような第一のガタツキ防止壁部４０は、ガイド壁部４３がバッテリーターミナル８０の側部８１ａに沿って設けられることによって、バッテリーカバー１のガタツキを防止するようになっている。しかも、バッテリーカバー１を取り付ける際、バッテリーターミナル８０を基準として取り付けることができる。
さらに、第一のガタツキ防止壁部４０が、周側壁２１の下端２１ａ位置から形成されているので、バッテリーターミナル８０が開口部１０ａに位置されたときから、バッテリーターミナル８０を基準として取り付けることができるようになっている。
【００２８】
さらにまた、第一のガタツキ防止壁部４０は、ガイド壁部４３が複数箇所で板状壁部群４２に支持されることによってクッション性を有するようになっている。このため、バッテリーカバー１を取り付ける際、第一のガタツキ防止壁部４０がバッテリーターミナル８０に干渉する位置にあったとしても、クッション機能によって干渉状態が回避され、バッテリーカバー１の取り付け性を低下させないようになっている。
【００２９】
また、第一のガタツキ防止壁部４０が天井壁２０から周側壁２１の下端２１ａ位置まで下方に延び、下端面２１ｂがバッテリー７０の上面７０ａに接するようになっているので、ガタツキを防止するとともに支持部として機能するようになっている。
【００３０】
第二のガタツキ防止壁部５０は、図５−図７に示すように、複数の上部板状壁部５１と、隣り合う一対の上部板状壁部５１によって構成される上部板状壁部群５２を連接するように設けられてなる上部ガイド壁部５３とを有してなる。
【００３１】
複数の上部板状壁部５１は、隣り合う一対の上部板状壁部５１によって構成される第一の上部壁部群５２ａおよび第二の上部壁部群５２ｂによって構成されている。
第一の上部壁部群５２ａの各上部板状壁部５１は、第一のガイド壁部４３ａの内面４３ｃに立設され、かつ天井壁２０の下面２０ａから下方に延びてなる板状の壁である。
第二の上部壁部群５２ｂの各上部板状壁部５１は、第二のガイド壁部４３ｂの内面４３ｄに立設され、かつ天井壁２０の下面２０ａから下方に延びてなる板状の壁である。
【００３２】
上部ガイド壁部５３は、第一の上部壁部群５２ａの各上部板状壁部５１の側端部５１ａを連接するように設けられてなる第一の上部ガイド壁部５３ａと、第二の上部壁部群５２ｂの各上部板状壁部５１の側端部５１ａを連接するように設けられてなる第二の上部ガイド壁部５３ｂとを有してなる。これら第一の上部ガイド壁部５３ａおよび第二の上部ガイド壁部５３ｂは、環状部８１の側部８１ａに沿って設けられてなる板状の壁である。
【００３３】
回動規制壁部６０は、環状部８１の側部８１ａに沿うように形成され、かつ電線接続部８２が環状部８１から突出される位置の近傍に電線接続部８２を間にするように配置された一対の壁からなる。より具体的には、回動規制壁部６０は、図５に示すように、第一のガイド壁４３ａおよび第二のガイド壁４３ｂの端部４３ｅ，４３ｆから環状部８１の側部８１ａに沿うように延出され、電線接続部８２が環状部８１から突出される位置の近傍に電線接続部８２を間にするように配置された一対の壁である。
このような、回動規制壁部６０は、バッテリーターミナル８０の側部８０ａに沿って形成されることによってバッテリーカバー１のガタツキを抑えるとともに、上述した第一のガタツキ防止壁部４０および第二のガタツキ防止壁部５０によって、低減することが難しい回動するガタツキが発生したとしても、回動規制壁部６０が、電線接続部８２に当接されることによって回動が規制されるようになっている。
【００３４】
ここで、図８を用いて、バッテリーカバー１のガタツキが防止されることについて説明する。図８は、バッテリーカバー１のガタツキが防止されることについて説明するための図である。
バッテリーカバー１が回動されるような外力が負荷されていない場合、図８（ａ）に示すように、バッテリーカバー１が外力によって動いた場合でも、環状部８１の側部８１ａが第一のガタツキ防止壁部４０および第二のガタツキ防止壁部５０に当接されることによってガタツキが抑えられている。
ここで、バッテリーカバー１が回動されるような外力が負荷された場合、図８（ｂ）に示すように、回動規制壁部６０が電線接続部８２に当接されるので、回動方向のガタツキについても抑えられている。
【００３５】
本発明の実施の形態のバッテリーカバー１は、天井壁２０の下面２０ａから下方に延び、かつ下端面２１ｂがバッテリー７０の上面７０ａに接するように形成されてなる周側壁２１と、環状部８１の側部８１ａに沿うように形成された壁からなるガタツキ防止壁部３０を有してなるので、バッテリーカバー１のガタツキを防止するとともに、周側壁２１によってバッテリー７０の上面７０ａで支持されることによって、正常な取り付け位置においてバッテリーターミナル８０に接触されないようになっているので、バッテリーカバー１に外力が負荷されたとしても、ただちにバッテリーターミナル８０に外力が負荷されず、結果的に、バッテリーターミナルの接続安定性を向上させることができる。
【００３６】
また、本発明の実施の形態のバッテリーカバー１は、電線接続部８２が環状部８１から突出される位置の近傍に電線接続部８２を間にするように配置された一対の壁からなる回動規制壁部６０を有してなるので、バッテリーカバー１が回動されることによって発生するガタツキについても防止することができる。
【００３７】
また、本発明の実施の形態のバッテリーカバー１は、当該バッテリーカバー１は、周側壁２１のうちバッテリーターミナル８０を間にして向かい合う壁２１の各壁２１の内面２１ｃからバッテリーターミナル８０の下部８０ａに引っ掛かるように突起された一対の浮き止め係止部２３をさらに有してなるので、バッテリーカバー１が浮き上がることによるバッテリーカバー１のガタツキを防止することができる。
【００３８】
（変形例１）
次に、図９を用いて本発明の実施の形態のバッテリーカバー１の変形例１について説明する。図９は、本発明の実施の形態の変形例１のバッテリーカバー２を下方から視た図である。
この変形例１のバッテリーカバー２は、第二のガタツキ防止壁部５０が第三の上部板状壁部群５４と、第三の上部ガイド壁部５５とをさらに有してなる点で実施の形態のバッテリーカバー１と異なる。
なお、その他の構成は実施の形態と同様であり、実施の形態と同一構成部分には同一符号を付している。
【００３９】
第三の上部板状壁部群５４は、隣り合う一対の上部板状壁部５６によって構成されてなる。この第三の上部板状壁部群５４の各上部板状壁部５６は、天井壁２０の下面２０ａから下方に延びてなる板状の壁である。
第三の上部ガイド壁部５５は、第三の上部板状壁部群５４の各上部板状壁部５６の側端部５６ａを連接するように設けられてなり、環状部８１の側部８１ａに沿って設けられてなる板状の壁である。
【００４０】
この変形例１のバッテリーカバー２は、実施の形態と同様な効果を奏するとともに、より多くの壁で環状部８１の側部８１ａを囲うようになっているので、ガタツキを防止するようになっているので、ガタツキ防止効果を向上させることができる。
【００４１】
（変形例２）
次に、図１０を用いて本発明の実施の形態のバッテリーカバー１の変形例２について説明する。図１０は、本発明の実施の形態の変形例２のバッテリーカバー３を下方から視た図である。
この変形例２のバッテリーカバー３は、第二のガタツキ防止壁部５０が第三の上部板状壁部群５４をさらに有し、かつ第一の上部ガイド壁部５３ａおよび第二の上部ガイド壁部５３ｂに代わって一体ガイド壁部５７を有してなる点で実施の形態のバッテリーカバー１と異なる。
なお、その他の構成は実施の形態と同様であり、実施の形態と同一構成部分には同一符号を付している。
【００４２】
一体ガイド壁部５７は、第一の上部板状壁部群５２ａ、第二の上部板状壁部群５２ｂ、および第三の上部板状壁部群５４の各上部板状壁部５１，５６の側端部５１ａ，５６ｂを連接するように設けられてなり、環状部８１の側部８１ａに沿って設けられてなる板状の壁である。
【００４３】
この変形例２のバッテリーカバー３は、実施の形態と同様な効果を奏するとともに、より多くの壁で環状部８１の側部８１ａを囲うようになっているので、ガタツキを防止するようになっているので、ガタツキ防止効果を向上させることができる。
【００４４】
（変形例３）
次に、図１１を用いて本発明の実施の形態のバッテリーカバー１の変形例３について説明する。図１１は、本発明の実施の形態の変形例３のバッテリーカバー４を下方から視た図である。
この変形例３のバッテリーカバー４は、支持部として周側壁２１に代わって柱状支持部２４を有してなる点で実施の形態のバッテリーカバー１と異なる。
なお、その他の構成は実施の形態と同様であり、実施の形態と同一構成部分には同一符号を付している。
【００４５】
柱状支持部２４は、天井壁２０の下面２０ａから下方に延び、かつ下端面２４ａがバッテリー７０の上面７０ａに接するように形成されてなる。
【００４６】
この変形例３のバッテリーカバー４は、天井壁２０の下面２０ａから下方に延び、かつ下端面２４ａがバッテリー７０の上面７０ａに接するように形成されてなる柱状支持部２４と、環状部８１の側部８１ａに沿うように形成された壁からなるガタツキ防止壁部３０を有してなるので、バッテリーカバー４のガタツキを防止するとともに、周側壁２１によってバッテリー７０の上面７０ａで支持されることによって、正常な取り付け位置においてバッテリーターミナル８０に接触されないようになっているので、バッテリーカバー４に外力が負荷されたとしても、ただちにバッテリーターミナル８０に外力が負荷されず、結果的に、実施の形態と同様にバッテリーターミナル８０の接続安定性を向上させることができる。
【００４７】
なお、本発明の実施の形態にかかるバッテリーカバー１，２，３，４は、ガタツキ防止壁部３０が、第一のガタツキ防止壁部４０、第二のガタツキ防止壁部５０、あるいは回動規制壁部６０を有してなるものを例示したが、これに限らない。すなわち、環状部８１の側部８１ａに沿うように形成された壁を有してなれば、例えば、ガタツキ防止壁部３０が第二のガタツキ防止壁部５０のみを有してなるものであってもよい。
【００４８】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４９】
１、２、３、４  バッテリーカバー
１０    カバー本体部
１０ａ  開口部
１１    ターミナル収容部
１２    電線引き出し部
１３    電線取り付け部
１４    可撓連結部
２０    天井壁
２０ａ  下面
２１    周側壁
２１ａ  下端
２１ｂ、２４ａ  下端面
２１ｃ  内面
２１ｄ  外面
２１ｅ  電線引き出し口
２２    接触面積拡大リブ
２３    浮き止め係止部
２４    柱状支持部
３０    ガタツキ防止壁部
４０    第一のガタツキ防止壁部
４１    板状壁部
４１ａ  下端面
４１ｂ  側端部
４２    板状壁部群
４２ａ  第一の対向壁部群
４２ｂ  第二の対向壁部群
４３    ガイド壁部
４３ａ  第一のガイド壁部
４３ｂ  第二のガイド壁部
４３ｃ、４３ｄ  内面
４３ｅ、４３ｆ  端部
５０    第二のガタツキ防止壁部
５１、５６  上部板状壁部
５１ａ、５６ａ  側端部
５２    上部板状壁部群
５２ａ  第一の上部壁部群
５２ｂ  第二の上部壁部群
５３    上部ガイド壁部
５３ａ  第一の上部ガイド壁部
５３ｂ  第二の上部ガイド壁部
５４    第三の上部板状壁部群
５５    第三の上部ガイド壁部
５７    一体ガイド壁部
６０    回動規制壁部
７０    バッテリー
７０ａ  上面
７１    バッテリーポスト
８０    バッテリーターミナル
８０ａ  下部
８１    環状部
８１ａ  側部
８１ｂ  挿通孔部
８１ｃ  上側部
８２    電線接続部
１００  バッテリー接続ユニット
Ｂ１、Ｂ２  ボルト
Ｎ１、Ｎ２  ナット
Ｗ      電線
Ｃ      接続端子
【図１】
0005841814.tif 000002
【図２】
0005841814.tif 000003
【図３】
0005841814.tif 000004
【図４】
0005841814.tif 000005
【図５】
0005841814.tif 000006
【図６】
0005841814.tif 000007
【図７】
0005841814.tif 000008
【図８】
0005841814.tif 000009
【図９】
0005841814.tif 000010
【図１０】
0005841814.tif 000011
【図１１】
0005841814.tif 000012